(57)【要約】【課題】  周りの音が聞きたい場合でも、音声出力装置から出力される音を同時に聞き取れることが可能なヘッドホーンを提供する。【解決手段】  左側の耳当て部３Ｌにプレヤー（音声発生装置）からの配線が引き込まれている。配線はＬ、Ｒ、Ｇの３本であり、Ｇが共通線となり、右耳への音声は配線Ｒと配線Ｇによってホーン２Ｒに伝送され、左耳への音声は配線Ｌと配線Ｇによってホーン２Ｌに伝送される。耳当て部３Ｌ中には、接点５と接点６が設けられ、接点５がメークしているときには、プレヤーからの配線Ｌがホーン２Ｌにつながり、接点６がメークしているときには、プレヤーからの配線Ｒがホーン２Ｒにつながるようになっている。よって、ホーン２Ｌへの音声をカットしたいときは接点５をブレークさせ、ホーン２Ｒへの音声をカットしたいときは接点６をブレークさせればよい。【選択図】  図１
2006135578.tif 000002
【特許請求の範囲】
【請求項１】
両耳に音声を出力するヘッドホーンであって、片耳ごとに音声の停止又は音声出力を下げる機能を有することを特徴とするヘッドホーン。
【請求項２】
請求項１に記載のヘッドホーンであって、頭部に装着した場合の左右の中心点の両側に、それぞれ操作スイッチを有し、当該操作スイッチが操作されたとき、音声の停止又は音声出力を下げる機能を有することを特徴とするヘッドホーン。
【請求項３】
両耳に音声を出力するヘッドホーンに接続される音声出力装置であって、前記ヘッドホーンの片耳ごとに音声の停止又は音声出力を下げる機能を有することを特徴とする音声出力装置。
【請求項４】
請求項３に記載の音声出力装置であって、前記ヘッドホーンが頭部に装着した場合の左右の中心点の両側に、それぞれ操作スイッチを有し、当該操作スイッチが操作されたとき、音声の停止又は音声出力を下げる機能を有することを特徴とする音声出力装置。
【請求項５】
頭部に装着され、片眼に映像を投影することにより映像を表示する映像表示装置であって、両耳に音声を出力するヘッドホーンと当該ヘッドホーンに音声を出力する音声出力装置を有し、前記ヘッドホーンが請求項１又は請求項２に記載のヘッドホーンであるか、あるいは、前記音声出力装置が請求項３又は請求項４に記載の音声出力装置であることを特徴とする映像表示装置。
【請求項６】
頭部に装着され、片眼に映像を投影することにより映像を表示する映像表示装置であって、両耳に音声を出力するヘッドホーンと当該ヘッドホーンに音声を出力する音声出力装置を有し、かつ、左右どちらの眼に映像を投影しているかを検出する検出機構を有し、当該検出機構の検出結果に基づいて、前記ヘッドホーンの音声停止をする側又は音声出力を下げる側を選択する機能を有することを特徴とする映像表示装置。
【請求項７】
請求項６に記載の映像表示装置であって、前記検出機構の検出結果に基づいて、映像が投影されていない側のみのヘッドホーンの音声を停止させるか音声出力を下げる機能を有することを特徴とする映像表示装置。
【発明の詳細な説明】
【技術分野】
【０００１】
本発明は、片耳ごとに音声の停止又は音声出力を下げる機能を有するヘッドホーン及び音声出力装置、さらにはこれらを使用した映像表示装置に関するものである。
【背景技術】
【０００２】
ヘッドホーンは一人で迫力のある音声を聞くことのできる装置として広く使われているが、周りの音が聞き取りにくくなるという問題を持っている。この問題を解決するため、通常はヘッドホーンと接続して使うオーディオプレーヤに、一時的に音声をカットする機能（ミュート）を備えており、それにより周りの音を聞き取れるようにすることができる。このミュートの機能は、通常、ヘッドホーンに音声を出力する音声出力装置に備えられている。
【０００３】
【特許文献１】特開平８−３０５２９８号公報
【特許文献２】特開２００４−２０７８４７号公報
【発明の開示】
【発明が解決しようとする課題】
【０００４】
しかしながら、ミュート機能を使用すると、周りの音は聞き取れるものの、音声出力装置から出力される音が聞き取れなくなるという問題点がある。
【０００５】
本発明は、このような事情に鑑みてなされたもので、周りの音が聞きたい場合でも、音声出力装置から出力される音を同時に聞き取れることが可能なヘッドホーン、音声出力装置、及びこれらを使用した映像表示装置を提供することを課題とする。
【課題を解決するための手段】
【０００６】
前記課題を解決するための第１の手段は、両耳に音声を出力するヘッドホーンであって、片耳ごとに音声の停止又は音声出力を下げる機能を有することを特徴とするヘッドホーン（請求項１）である。
【０００７】
本手段においては、ミュートを行う場合でも、片耳ごとに音声の停止又は音声出力を下げる機能を有するので、他の耳で音声出力装置から出力される音を聞き続けることができる。そして、この機能をヘッドホーン内に組み込むことにより、どんな音声出力装置に接続しても、その機能を果たすことができる。
【０００８】
前記課題を解決するための第２の手段は、前記第１の手段であって、頭部に装着した場合の左右の中心点の両側に、それぞれ操作スイッチを有し、当該操作スイッチが操作されたとき、音声の停止又は音声出力を下げる機能を有することを特徴とするもの（請求項２）である。
【０００９】
本手段においては、左右のホーンのうちどちらの側の音声の停止又は音声出力を下げるかを、操作スイッチにより選択することができ、操作性が良い。例えば、操作スイッチがオンとなった側の音声の停止又は音声出力を下げることを行うようにする。
【００１０】
前記課題を解決するための第３の手段は、両耳に音声を出力するヘッドホーンに接続される音声出力装置であって、前記ヘッドホーンの片耳ごとに音声の停止又は音声出力を下げる機能を有することを特徴とする音声出力装置（請求項３）である。
【００１１】
本手段においては、音声出力装置にヘッドホーンの片耳ごとに音声の停止又は音声出力を下げる機能を持たせているので、ヘッドホーンとして通常のものを使用することができる。
【００１２】
前記課題を解決するための第４の手段は、前記第３の手段であって、前記ヘッドホーンが頭部に装着した場合の左右の中心点の両側に、それぞれ操作スイッチを有し、当該操作スイッチが操作されたとき、音声の停止又は音声出力を下げる機能を有することを特徴とするもの（請求項４）である。
【００１３】
本手段は、前記第２の手段と同様の作用効果を奏する。
【００１４】
前記課題を解決するための第５の手段は、頭部に装着され、片眼に映像を投影することにより映像を表示する映像表示装置であって、両耳に音声を出力するヘッドホーンと当該ヘッドホーンに音声を出力する音声出力装置を有し、前記ヘッドホーンが前記第１の手段又は第２の手段のヘッドホーンであるか、あるいは、前記音声出力装置が請前記第３の手段又は第４の手段の音声出力装置であることを特徴とするもの（請求項５）である。
【００１５】
片眼に映像を投影することにより映像を表示するヘッドマウントディスプレイを使用する場合、映像を表している側の眼の視野は一部が常にふさがれていることになる。たとえば人から話しかけられて、その人の話を聞くためにミュートをかける状況を考えた場合、話をする相手が映像表示部によって眼をふさがれていない側に来るように顔を向けることが多く、従って音声のミュートも、映像を表示していない側のスピーカに対して行う方が便利である。
【００１６】
よって、ヘッドホーンとして第１の手段、又は第２の手段のものを用いるか、音声出力装置として前記第３の手段又は第４の手段のものを用いるのが好ましい。
【００１７】
前記課題を解決するための第６の手段は、頭部に装着され、片眼に映像を投影することにより映像を表示する映像表示装置であって、両耳に音声を出力するヘッドホーンと当該ヘッドホーンに音声を出力する音声出力装置を有し、かつ、左右どちらの眼に映像を投影しているかを検出する検出機構を有し、当該検出機構の検出結果に基づいて、前記ヘッドホーンの音声停止をする側又は音声出力を下げる側を選択する機能を有することを特徴とするもの（請求項６）である。
【００１８】
本手段においては、映像を表示している側を検出する検出機構を設け、その検出結果に基づいてミュートを実行する側を決定する。
【００１９】
戦記課題を解決するための第７の手段は、前記検出機構の検出結果に基づいて、映像が投影されていない側のみのヘッドホーンの音声を停止させるか音声出力を下げる機能を有することを特徴とするもの（請求項７）である。
【００２０】
本手段においては、映像が投影されていない側のみのヘッドホーンの音声を停止させるか音声出力を下げる機能を有するので、通常、人が外部の音（人間の声等）を聞く側のみの、音声を停止させるか音声出力を下げることができる。
【発明の効果】
【００２１】
本発明によれば、周りの音が聞きたい場合でも、音声出力装置から出力される音を同時に聞き取れることが可能なヘッドホーン、音声出力装置、及びこれらを使用した映像表示装置を提供することができる。
【発明を実施するための最良の形態】
【００２２】
以下、本発明の実施の形態の例を、図を用いて説明する。図１は、本発明の実施の形態の第１の例であるヘッドホーンの概要を示すブロック図である。ヘッドホーン１は、右側（Ｒ）用と左側（Ｌ）方のホーン２Ｒ、２Ｌを有しており、それぞれのホーン２Ｒ、２Ｌは、耳当て部３Ｒ、３Ｌに保持されている。
【００２３】
耳当て部３Ｒと３Ｌは、接続部４により接続されている。接続部４は弾性を有し、これを頭部の後側に回して、頭部を挟み込み、耳当て部３Ｒ，３Ｌを両耳に当てることによって頭部に装着する。
【００２４】
図１においては、左側の耳当て部３Ｌにプレヤー（音声発生装置）からの配線が引き込まれている。配線はＬ、Ｒ、Ｇの３本であり、Ｇが共通線となり、右耳への音声は配線Ｒと配線Ｇによってホーン２Ｒに伝送され、左耳への音声は配線Ｌと配線Ｇによってホーン２Ｒに伝送される。
【００２５】
耳当て部３Ｌ中には、接点５と接点６が設けられ、接点５がメークしているときには、プレヤーからの配線Ｌがホーン２Ｌにつながり、接点６がメークしているときには、プレヤーからの配線Ｒがホーン２Ｒにつながるようになっている。よって、ホーン２Ｌへの音声をカットしたいときは接点５をブレークさせ、ホーン２Ｒへの音声をカットしたいときは接点６をブレークさせればよい。
【００２６】
各接点５、６のメーク、ブレークは、これらの接点をスイッチの接点としてもよいし、他の信号によって駆動されるリレイの接点としてもよい。
【００２７】
図２は、この実施の形態の変形例であり、右耳への音声をミュートする接点６を右側の耳当て部３Ｒに、左耳への接点をミュートする接点５を左側の耳当て部３Ｌに取り付けたものである。なお、以下の図において、前出の図に示された構成要素には、同じ符号を付してその説明を省略する。この変形例の作用効果は、図１に示したものと同じである。
【００２８】
図３は、図２に示したヘッドホーンの外形を示す概要図である。ヘッドホーン１において、耳当て部３Ｒと３Ｌは接続部４で連結されている。なお、左右のホーンはそれぞれ、耳当て部３Ｒと３Ｌ中に内蔵され、各耳当て部３Ｒと３Ｌには、耳かけ部８Ｒ、８Ｌが設けられている。
【００２９】
そして、耳当て部３Ｒと３Ｌには、それぞれスイッチ７Ｒ、７Ｌが設けられ、このスイッチを使用者が操作できるようになっている。このスイッチ７Ｒ、７Ｌは、例えばラッチ機構付の押しボタンスイッチであり、１回押す毎に、オンとオフを交互に繰り返すようになっている。そして、これらの接点が図２に示す接点５、６として使用されている。
【００３０】
図４は、本発明の実施の形態の第２の例であるヘッドホーンの概要を示すブロック図である。この実施の形態においては、ヘッドホーン１は通常のヘッドホーンであるが、ヘッドホーンに音声を送る音声発生装置１１の構造が異なっている。
【００３１】
音声発生装置１１において、音声発生部１２から発生される音声信号配線Ｌ、Ｒは、音声制御部１３によって駆動される接点１４、１５を介してヘッドホーン１に接続されるようになっている。よって、左耳への音声をミュートしたいときは接点１４をブレークさせ、右耳への音声をミュートしたいときは接点１５をブレークさせればよい。音声制御部１３は、外部から入力される信号に応じて、このような操作を行う。この外部入力は、例えば、音声発生装置に設けられる音量調節用バリオーム等と一緒に設けてもよく、ヘッドホーン１に設けるようにしてもよい。ヘッドホーン１に設けない場合は、どのような形式のヘッドホーンを用いても、同じ制御を行うことができる。
【００３２】
以下、本発明の実施の形態の映像表示装置であるヘッドマウントディスプレイについて説明する。近年、液晶パネル（ＬＣＤ）等の表示デバイス上に表示された映像を、接眼レンズやハーフミラー等を有する光学系を介して拡大した虚像として観察する眼鏡タイプ等、人体に装着して使用されるの映像表示装置が種々提案され、ウエアラブルディスプレイと呼ばれている。そのうち、頭部に装着して使用されるものは、特にヘッドマウントディスプレイと呼ばれている。
【００３３】
ヘッドマウントディスプレイは、多くの場合、頭に巻いた形で頭部に装着する構成とされ、両眼に対応する位置に映像表示系を形成した両眼タイプと左右眼の一方の眼に対応する位置に映像表示系を形成した片眼タイプとがある。このうち、両眼タイプのものは、主として映像を楽しむための目的に使用される。片眼タイプのものは、例えばウエアラブルパソコン等の表示装置等や、作業者に指示を表示する表示装置としての使用方法が期待されている。その例として、特開平８−３０５２９８号公報（特許文献１）、特開２００４−２０７８４７号公報（特許文献２）に記載されるような方式のものが公知となっている。
【００３４】
本発明の実施の形態の１例であるヘッドマウントディプレイの概要の外観図を、図５、図６に示す。図５において、ヘッドマウントディスプレイ本体部２１は、頭部の後部に装着されて、頭部を挟み込むような弾性を有する装着部２４と、装着部２４に出し入れが可能なように嵌め込まれた支持部２３と、支持部２３の先端部に取り付けられ、画像の表示を行う表示部２２と、装着部２４に取り付けられた左右の保持部２５（耳当て部とヘッドホーンを兼ねる）を主要部として構成されている。図においては、表示部２２は、支持部２３の引き出し長さを調節することにより、左眼前方に位置するように調整されており、左眼用として使用される。
【００３５】
このヘッドマウントディスプレイ本体部２１の形状は、図における上下方向の中心線Ａに対して上下対称となっている。よって、ヘッドマウントディスプレイ本体部２１を、図の矢印のように左右を反転させて、１８０°回転させれば、支持部２３と表示部２２は図に２点鎖線で示すように顔面の右側に移動し、そのままの状態で表示部２２は右眼前方に位置するようになり、右眼用として使用できるようになる。
【００３６】
図６は、図５の装着状態を顔面の左側から見た概要を示す図である。装着部２４の後端部分には、重力センサ２６が埋め込まれており、重力の方向を検知することで、ヘッドマウントディスプレイ本体部２１のどちら側が上面になっているかを検出する。これにより、ヘッドマウントディスプレイ本体部２１が左眼用として使用されているのか、右眼用として使用されているのかを知ることができる。
【００３７】
又、例えば、支持部２３を装着部２４から取り外し、反対側に取り付けることにより左右を入れ替える構造の場合には、支持部２３の装着部２４への取り付け位置を検出して、左眼用として使用されているか、右眼用として使用されているかを検出するようにしてもよい。
【００３８】
このようにして、使用側検出センサ（例えば重力センサ２６）により、ヘッドマウントディスプレイ本体２１が右眼用として使用されているか、左眼用として使用されているかによって、ミュートするヘッドホーンの左右を決定することが好ましい。
【００３９】
すなわち、ヘッドホーンの使用中に、人から話しかけられて、その人の話を聞くためにミュートをかける状況を考えた場合、話をする相手が表示部２２によって眼をふさがれていない側に来るように顔を向けることが多く、従って音声のミュートも、表示部２２が位置してない側のスピーカに対して行う方が便利である。この目的のためには、以上に説明した本発明の実施の形態の例であるヘッドホーンを適宜使用することができる。
【００４０】
ヘッドマウントディスプレイ本体が右眼用として使用されているか左眼用として使用されているかを検出し、その結果によりミュートする側のホーンを決定する制御を実現するための回路のブロック図を図７に示す。なお、ヘッドマウントディスプレイ本体の制御のためには、当然のことながら表示する映像を記憶したり制御したりする回路が必要であるが、これらは本発明とは関係がないので、図７では図示を省略している。
【００４１】
図７に示す回路は、図４に示した回路とほとんど同じであるが、ヘッドマウントディスプレイ本体２１に使用されるヘッドホーン１内に組み込まれている前述の使用側検出センサの接点１６が設けられ、その開閉信号が音声制御部１３に入力されているところが異なっているのみであるので、図４と同じ部分は説明を省略し、異なっている部分についてのみ説明を行う。
【００４２】
接点１６は、ヘッドマウントディスプレイ本体２１が右眼用として使用されている場合と左眼用として使用されている場合で、異なった開閉状態となるようにされており、これにより、音声制御部１３は、ヘッドマウントディスプレイ本体２１の使用状況を知ることができる。
【００４３】
そして、ヘッドマウントディスプレイ本体が右眼用として使用されている場合にミュートが必要となった場合には、接点１４をブレークさせて、左耳への音声信号をミュートする。逆に、ヘッドマウントディスプレイ本体が左眼用として使用されている場合にミュートが必要となった場合には、接点１５をブレークさせて、右耳への音声信号をミュートする。
【００４４】
以上説明した実施の形態においては、何れも、ミュートする場合、接点により所定の側の耳への音声出力をカットするものであった。もし、所定の側の耳への音声出力を弱めたいのであれば、各回路における接点に並列に、抵抗を負荷することにより容易に実現することができる。
【図面の簡単な説明】
【００４５】
【図１】本発明の実施の形態の第１の例であるヘッドホーンの概要を示すブロック図である。
【図２】第１の実施の形態の変形例の概要を示すブロック図である。
【図３】図２に示したヘッドホーンの外形を示すブロック図である。
【図４】本発明の実施の形態の第２の例であるヘッドホーンの概要を示すブロック図である。
【図５】本発明の実施の形態の１例であるヘッドマウントディプレイの概要の外観図である。
【図６】本発明の実施の形態の１例であるヘッドマウントディプレイの概要の外観図である。
【図７】図６に示すヘッドマウントディスプレイのヘッドホーンの概要を示すブロック図である。
【符号の説明】
【００４６】
１…ヘッドホーン、２Ｒ，２Ｌ…ホーン、３Ｒ，３Ｌ…耳当て部、４…接続部、５…接点、６…接点、７Ｒ，７Ｌ…スイッチ、１１…音声発生装置、１２…音声発生部、１３…音声制御部、１４…接点、１５…接点、１６…接点、２１…ヘッドマウントディスプレイ本体、２２…表示部、２３…支持部、２４…装着部、２５…保持部（ヘッドホーン）、２６…重力センサ
【図１】
2006135578.tif 000003
【図２】
2006135578.tif 000004
【図３】
2006135578.tif 000005
【図４】
2006135578.tif 000006
【図５】
2006135578.tif 000007
【図６】
2006135578.tif 000008
【図７】
2006135578.tif 000009